(57)【要約】【課題】回路規模の増大を伴わず簡素なシステム構成で実現できる、録画用の映像出力とユーザへのメッセージを含むモニタＴＶ用の映像出力とを有する映像音声記録装置を提供する。【解決手段】入力映像にユーザへのメッセージ映像（図形や文字で構成）を付加した映像信号を生成し、このメッセージ付加映像信号を録画用とモニタＴＶ用に出力し、録画用にはメーセージ付加映像よりメーセージ領域を除いた部分に対して録画処理をして録画し、モニタＴＶ用にはメッセージ付加映像をそのまま出力する。【選択図】図１
2007074182.tif 000002
【特許請求の範囲】
【請求項１】
所定の画像サイズで構成される映像信号を入力とし、前記映像信号が表す画像に文字や図形により構成される文字図形領域を付加した映像信号を生成する文字図形領域付加部と、
入力される音声信号と前記文字図形領域付加部からの映像信号とを入力とし映像表示装置に対して出力する映像音声出力処理部と、
前記文字図形領域付加部からの映像信号を入力とし、前記文字図形領域を除く画像領域に対し映像データ圧縮を行う映像データ圧縮部と、
前記音声信号を入力とし音声データ圧縮を行う音声データ圧縮部と、
前記映像データ圧縮部からの圧縮映像データと前記音声データ圧縮部からの圧縮音声データとを多重して映像音声ストリームを生成する映像音声多重部と、
前記映像音声ストリームを記録媒体に記録する記録処理部とを備えたことを特徴とする映像音声記録装置。
【請求項２】
前記文字図形領域付加部では、生成した文字図形領域を入力される映像信号が表す画像の水平方向および垂直方向の少なくとも一方向に繋ぐことを特徴とする請求項１記載の映像音声記録装置。
【請求項３】
前記文字図形領域にはユーザに対するメッセージを表示することを特徴とする請求項１または２記載の映像音声記録装置。
【請求項４】
所定の画像サイズで構成される映像信号を入力とし画像サイズを変更した映像信号に変換する画像サイズ変換部と、
前記画像サイズ変換部からの映像信号が表す画像に文字や図形により構成される文字図形領域を付加した映像信号を生成する文字図形領域付加部と、
入力される音声信号と前記文字図形領域付加部からの映像信号とを入力とし映像表示装置に対して出力する映像音声出力処理部と、
前記文字図形領域付加部からの映像信号を入力とし、前記文字図形領域を除く画像領域に対し映像データ圧縮を行う映像データ圧縮部と、
前記音声信号を入力とし音声データ圧縮を行う音声データ圧縮部と、
前記映像データ圧縮部からの圧縮映像データと前記音声データ圧縮部からの圧縮音声データとを多重して映像音声ストリームを生成する映像音声多重部と、
前記映像音声ストリームを記録媒体に記録する記録処理部とを備えたことを特徴とする映像音声記録装置。
【請求項５】
前記画像サイズ変換部における画像サイズの変更処理は水平方向および垂直方向の少なくとも一方向の縮小であることを特徴とする請求項４記載の映像音声記録装置。
【請求項６】
前記文字図形領域付加部から出力される映像信号が表す画像のサイズは、前記画像サイズ変換部へ入力される映像信号が表す画像のサイズと同じであることを特徴とする請求項４または５記載の映像音声記録装置。
【請求項７】
前記文字図形領域にはユーザに対するメッセージを表示することを特徴とする請求項４乃至６記載の映像音声記録装置。
【発明の詳細な説明】
【技術分野】
【０００１】
本発明は、映像音声信号をデータ圧縮して記録する映像音声記録装置に関するものである。
【背景技術】
【０００２】
２０１１年に予定されているアナログ放送停波に向けてデジタル放送が急速に普及している。地上デジタル放送やＢＳデジタル放送では主に高画質なハイビジョン放送が為されている。このようなデジタル放送の番組を録画する機器として、ＨＤＤを内蔵したレコーダがある。ＨＤＤの容量は急速に増大してはいるが、ハイビジョン放送は１５〜２４Ｍｂｐｓとビットレートが高いので録画時間が限られてしまう。例えば、２００ＧＢのハードディスクドライブ（以下、ＨＤＤと称す）でも２０Ｍｂｐｓのハイビジョン放送を２２時間程度しか録画することができない。
【０００３】
そこで、放送ストリームをそのまま記録するのではなく、デコードして再度低いビットレートにエンコードし直して記録する長時間記録モードを設けている機器がある。この場合、一般的にチューナは１系統しかないため、長時間記録モードでの録画中にはユーザは録画しているチャンネルの映像をモニタＴＶ画面で見ることはできるが、他のチャンネルの映像を見ることはできない。そこで、長時間記録モードでの録画中にユーザがチャンネル変更の操作をした場合などチャンネル変更ができないことをユーザに対して通知する必要がある。
【０００４】
また、放送ストリームをそのままＨＤＤに記録しておき、後でデコードして再度低いビットレートにエンコードし直して光ディスクにダビングする機能（以下、低レート変換ダビングと称す）を有する機器もある。この場合、一般的にデコーダは１系統しかないので、ダビング中にはユーザはダビングしている映像をモニタＴＶ画面で見ることはできるが、放送中の映像を見ることはできない。そこで、ダビング中に放送番組の視聴操作をした場合など放送番組視聴ができないことをユーザに対して通知する必要がある。
【０００５】
このように、長時間記録モードでの録画時や低レート変換ダビング時には必要に応じてモニタＴＶ出力にのみユーザへのメッセージを載せる必要がある。そこで、録画用の映像とは別にモニタＴＶ用にユーザへのメッセージが切替えて表示できる映像出力を持つものがある（例えば、特許文献１参照）。
【特許文献１】特開平１０−３３６６０３号公報
【発明の開示】
【発明が解決しようとする課題】
【０００６】
しかしながら、上記の技術では録画用の映像出力とモニタＴＶ用の映像出力との２系統の映像出力を持つことになる。この場合、２系統の映像処理が必要となり回路規模の増大につながるし、２系統の映像出力が必要となるためシステム構成も複雑になってしまう。また、デジタル放送受信部を１つの大規模集積回路（ＬＳＩ）で構成した場合、２系統の映像出力（録画用とモニタＴＶ用）が必要となるためＬＳＩのピン数増大につながりＬＳＩのコストを高めることになってしまう。
【０００７】
本発明は、従来の課題を解決するもので、１系統の映像出力で録画用とモニタＴＶ用を兼用することで回路規模の増大やシステム構成の複雑化を招くことなく、正しく録画を行いつつモニタＴＶ画面上にユーザへのメッセージを表示することができる映像音声記録装置を提供することを目的とする。
【課題を解決するための手段】
【０００８】
本願第１の発明の映像音声記録装置は、入力映像信号が表す画像に文字や図形により構成される文字図形領域を付加した映像信号を生成する文字図形領域付加部と、入力音声信号と文字図形領域付加部からの映像信号とを入力とし映像表示・音声出音装置に対して出力する映像音声出力処理部と、文字図形領域付加部からの映像信号を入力とし、文字図形領域を除く画像領域に対し映像データ圧縮を行う映像データ圧縮部と、入力音声信号に対して音声データ圧縮を行う音声データ圧縮部と、映像データ圧縮部からの圧縮映像データと音声データ圧縮部からの圧縮音声データとを多重して映像音声ストリームを生成する映像音声多重部と、映像音声ストリームを記録媒体に記録する記録処理部とを備えたことを特徴とする。
【０００９】
本願第２の発明の映像音声記録装置は、映像信号を入力とし画像サイズを変更した映像信号に変換する画像サイズ変換部と、画像サイズ変換部からの映像信号が表す画像に文字や図形により構成される文字図形領域を付加した映像信号を生成する文字図形領域付加部と、入力音声信号と前記文字図形領域付加部からの映像信号とを入力とし映像表示・音声出音装置に対して出力する映像音声出力処理部と、文字図形領域付加部からの映像信号を入力とし、文字図形領域を除く画像領域に対し映像データ圧縮を行う映像データ圧縮部と、入力音声信号に対して音声データ圧縮を行う音声データ圧縮部と、映像データ圧縮部からの圧縮映像データと音声データ圧縮部からの圧縮音声データとを多重して映像音声ストリームを生成する映像音声多重部と、映像音声ストリームを記録媒体に記録する記録処理部とを備えたことを特徴とする。
【発明の効果】
【００１０】
本願第１の発明によれば、録画対象の映像にユーザへのメッセージ映像を付加して生成した１系統の映像を録画用とモニタＴＶ出力用に兼用するため回路規模の増大を抑えることができ、さらに１系統の映像出力のみで良いためシステム構成の簡素化を図ることができる。
【００１１】
本願第２の発明によれば、先述の本願第１の発明の効果と比べて、若干の回路規模増大があるものの、あらゆる画像サイズの映像入力に対しても適切なメーセージ領域を割当てることができるためユーザにとって見易いメッセージ表示が可能となる。
【発明を実施するための最良の形態】
【００１２】
以下、本発明の実施の形態について、図１から図８を用いて説明する。
【００１３】
（実施の形態１）
図１は本発明の実施の形態１における映像音声記録装置の構成を示すブロック図である。
【００１４】
入力端子１より映像信号１０１が、入力端子２より音声信号２０１が入力される。映像信号１０１が表す画像サイズが図２（ａ）に示すように１４４０画素×１０８０ラインのハイビジョン映像の場合について説明する。
【００１５】
文字図形映像生成部３では４８０画素×１０８０ラインのサイズのユーザへのメッセージ映像３０１を生成する。例えば、低レート変換ダビング中には、ダビング中であることとダビングの進行状況とを文字と図形により通知するために図２（ｂ）に示すメッセージ映像を生成する。入力映像１０１とメッセージ映像３０１とは映像付加部４に入力され、図２（ｃ）に示すように水平方向に繋がれてメッセージ付加映像４０１が生成される。メッセージ付加映像４０１の画像サイズは１９２０画素×１０８０ラインになる。
【００１６】
メッセージ付加映像４０１と入力音声信号２０１は映像音声出力処理部５に入力される。メッセージ付加映像４０１は映像モニタ出力用に映像処理されモニタ出力５０１が出力端子６より出力される。出力端子６からの映像を表示したモニタ画面は図２（ｃ）に示すようにダビング中の映像とユーザへのメッセージを共に含んだものとなる。また、入力音声信号２０１はスピーカ出力用に音声処理されスピーカ出力５０２が出力端子７より出力される。
【００１７】
メッセージ付加映像４０１は記録映像抽出部８に入力される。記録映像抽出部８では画像サイズ１９２０画素×１０８０ラインのメッセージ付加映像４０１より１４４０画素×１０８０ラインの記録映像８０１を抽出する。記録映像８０１は映像圧縮部９に入力されＭＰＥＧに代表される映像データ圧縮処理が施されて圧縮映像データ９１が生成される。同様に入力音声信号２０１は音声圧縮部１０に入力され音声データ圧縮処理が施されて圧縮音声データ１０２が生成される。
【００１８】
圧縮映像データ９１と圧縮音声データ１０２とは映像音声多重部１１に入力され、多重ストリーム１１１が生成される。多重ストリーム１１１は記録処理部１２を経て記録媒体１３に記録される。
【００１９】
以上のように構成された映像音声記録装置において、録画対象の映像にユーザへのメッセージ映像を付加して生成した１系統の映像を録画用とモニタＴＶ出力用に兼用するため回路規模の増大を抑えることができ、さらに１系統の映像出力のみで良いためシステム構成の簡素化を図ることができる。
【００２０】
ここでは１４４０画素×１０８０ラインの入力映像にメーセージ領域を水平方向に付加して１９２０画素×１０８０ラインにする場合について説明したが、図３に示すように１９２０画素×７２０ラインの入力映像にメーセージ領域を垂直方向に付加して１９２０画素×１０８０ラインにしても良いし、図４に示すように７２０画素×４８０ラインの入力映像にメーセージ領域を水平・垂直両方向に付加して１９２０画素×１０８０ラインにしても良い。これらの画像サイズは一例であり、その他のサイズの組み合わせにおいても同様である。
【００２１】
（実施の形態２）
図５は本発明の実施の形態２における映像音声記録装置の構成を示すブロック図である。
【００２２】
入力端子１より映像信号１０１が、入力端子２より音声信号２０１が入力される。映像信号１０１が表す画像サイズが図６（ａ）に示すように１９２０画素×１０８０ラインのハイビジョン映像の場合について説明する。
【００２３】
映像信号１０１は映像サイズ変換部１４に入力され水平方向に縮小され、図６（ｂ）に示すように１４４０画素×１０８０ラインの映像信号１４１となる。文字図形映像生成部３では４８０画素×１０８０ラインのサイズのユーザへのメッセージ映像３０１を生成する。例えば、低レート変換ダビング中には、ダビング中であることとダビングの進行状況とを文字と図形により通知するために図６（ｃ）に示すメッセージ映像を生成する。サイズ変換後の映像１４１とメッセージ映像３０１とは映像付加部４に入力され、図６（ｄ）に示すように水平方向に繋がれてメッセージ付加映像４０１が生成される。メッセージ付加映像４０１の画像サイズは１９２０画素×１０８０ラインになる。
【００２４】
メッセージ付加映像４０１と入力音声信号２０１は映像音声出力処理部５に入力される。メッセージ付加映像４０１は映像モニタ出力用に映像処理されモニタ出力５０１が出力端子６より出力される。出力端子６からの映像を表示したモニタ画面は図６（ｄ）に示すようにダビング中の映像とユーザへのメッセージを共に含んだものとなる。また、入力音声信号２０１はスピーカ出力用に音声処理されスピーカ出力５０２が出力端子７より出力される。
【００２５】
メッセージ付加映像４０１は記録映像抽出部８に入力される。記録映像抽出部８では画像サイズ１９２０画素×１０８０ラインのメッセージ付加映像４０１より１４４０画素×１０８０ラインの記録映像８０１を抽出する。記録映像８０１は映像圧縮部９に入力されＭＰＥＧに代表される映像データ圧縮処理が施されて圧縮映像データ９１が生成される。同様に入力音声信号２０１は音声圧縮部１０に入力され音声データ圧縮処理が施されて圧縮音声データ１０２が生成される。
【００２６】
圧縮映像データ９１と圧縮音声データ１０２とは映像音声多重部１１に入力され、多重ストリーム１１１が生成される。多重ストリーム１１１は記録処理部１２を経て記録媒体１３に記録される。
【００２７】
以上のように構成された映像音声記録装置において、録画対象の映像にユーザへのメッセージ映像を付加して生成した１系統の映像を録画用とモニタＴＶ出力用に兼用するため回路規模の増大を抑えることができ、さらに１系統の映像出力のみで良いためシステム構成の簡素化を図ることができる。また、あらゆる画像サイズの映像入力に対しても適切なメーセージ領域を割当てることができるためユーザにとって見易いメッセージ表示が可能となる。
【００２８】
ここでは１９２０画素×１０８０ラインの入力映像を１４４０画素×１０８０ラインにサイズ変換しメーセージ領域を水平方向に付加して１９２０画素×１０８０ラインにする場合について説明したが、図７に示すように１９２０画素×１０８０ラインの入力映像を１９２０画素×７２０ラインにサイズ変換しメーセージ領域を垂直方向に付加して１９２０画素×１０８０ラインにしても良いし、図８に示すように１９２０画素×１０８０ラインの入力映像を７２０画素×４８０ラインにサイズ変換しメーセージ領域を水平・垂直両方向に付加して１９２０画素×１０８０ラインにしても良い。これらの画像サイズは一例であり、その他のサイズの組み合わせにおいても同様である。
【産業上の利用可能性】
【００２９】
本発明にかかる映像音声記録装置は、録画対象の映像にユーザへのメッセージ映像を付加して生成した１系統の映像を録画用とモニタＴＶ出力用に兼用するため回路規模の増大を抑えることができ、さらに１系統の映像出力のみで良いためシステム構成の簡素化を図ることが必要な用途にも適用できる。
【図面の簡単な説明】
【００３０】
【図１】本発明の実施の形態１における映像音声記録装置の構成を示すブロック図
【図２】本発明の実施の形態１における入力映像とメッセージ映像とメッセージ付加映像との画像サイズの関係の一例（水平方向へのメッセージ付加）を示す概略図
【図３】本発明の実施の形態１における入力映像とメッセージ映像とメッセージ付加映像との画像サイズの関係の一例（垂直方向へのメッセージ付加）を示す概略図
【図４】本発明の実施の形態１における入力映像とメッセージ映像とメッセージ付加映像との画像サイズの関係の一例（水平・垂直両方向へのメッセージ付加）を示す概略図
【図５】本発明の実施の形態２における映像音声記録装置の構成を示すブロック図
【図６】本発明の実施の形態２における入力映像とメッセージ映像とメッセージ付加映像との画像サイズの関係の一例（水平方向へのメッセージ付加）を示す概略図
【図７】本発明の実施の形態２における入力映像とメッセージ映像とメッセージ付加映像との画像サイズの関係の一例（垂直方向へのメッセージ付加）を示す概略図
【図８】本発明の実施の形態２における入力映像とメッセージ映像とメッセージ付加映像との画像サイズの関係の一例（水平・垂直両方向へのメッセージ付加）を示す概略図
【符号の説明】
【００３１】
１    映像信号入力端子
２    音声信号入力端子
３    文字図形映像生成部
４    映像付加部
５    映像音声出力処理部
６    映像信号出力端子
７    音声信号出力端子
８    記録映像抽出部
９    映像圧縮部
１０    音声圧縮部
１１    映像音声多重部
１２    記録処理部
１３    記録媒体
１４    映像サイズ変換部
３０１    メッセージ映像
４０１    メッセージ付加映像
【図１】
2007074182.tif 000003
【図２】
2007074182.tif 000004
【図３】
2007074182.tif 000005
【図４】
2007074182.tif 000006
【図５】
2007074182.tif 000007
【図６】
2007074182.tif 000008
【図７】
2007074182.tif 000009
【図８】
2007074182.tif 000010